(57)【特許請求の範囲】
【請求項１】
テレビジョン放送信号の受信に際して指向性の切り替えが可能なアンテナと、前記アンテナの最適受信方向をチャンネル毎に初期設定する初期設定手段と、を有し、所望のチャンネルが指定されると、前記初期設定手段により初期設定された当該所望のチャンネルに対応する最適受信方向に前記アンテナの指向性を切り替えて設定し、当該所望のチャンネルに対応するテレビジョン放送信号を受信するアンテナシステムを備えるテレビジョン受像機において、
前記初期設定手段は、
一のチャンネルにおける前記アンテナの最適受信方向を初期設定する際に、前記アンテナの指向性を順次に切り替える切替手段と、
前記切替手段により前記アンテナの指向性が切り替えられる度に、当該アンテナシステムによって前記一のチャンネルに対応するテレビジョン放送信号が受信されたか否かを判定する判定手段と、
前記判定手段により当該アンテナシステムによって前記一のチャンネルに対応するテレビジョン放送信号が受信されたと判定された際の前記アンテナの指向性の方向を、当該一のチャンネルに対応する最適受信方向として決定する決定手段と、
前記決定手段により最適受信方向として決定された受信方向と、当該受信方向が最適受信方向として決定された決定回数と、を対応付けて記憶する記憶手段と、
を備え、
前記切替手段は、前記判定手段により当該アンテナシステムによって一のチャンネルに対応するテレビジョン放送信号が受信されたと判定されるまで、前記記憶手段に記憶された決定回数が多い受信方向から順に、前記アンテナの指向性を切り替えるとともに、前記記憶手段に記憶された受信方向の中に決定回数が同一の受信方向が複数ある場合には、当該決定回数が同一の複数の受信方向のうち、前記アンテナの現在の指向性の方向に最も近い受信方向に、前記アンテナの指向性を切り替えることを特徴とするテレビジョン受像機。
【請求項２】
テレビジョン放送信号の受信に際して指向性の切り替えが可能なアンテナと、前記アンテナの最適受信方向をチャンネル毎に初期設定する初期設定手段と、を有し、所望のチャンネルが指定されると、前記初期設定手段により初期設定された当該所望のチャンネルに対応する最適受信方向に前記アンテナの指向性を切り替えて設定し、当該所望のチャンネルに対応するテレビジョン放送信号を受信するアンテナシステムにおいて、
前記初期設定手段は、
一のチャンネルにおける前記アンテナの最適受信方向を初期設定する際に、前記アンテナの指向性を順次に切り替える切替手段と、
前記切替手段により前記アンテナの指向性が切り替えられる度に、当該アンテナシステムによって前記一のチャンネルに対応するテレビジョン放送信号が受信されたか否かを判定する判定手段と、
前記判定手段により当該アンテナシステムによって前記一のチャンネルに対応するテレビジョン放送信号が受信されたと判定された際の前記アンテナの指向性の方向を、当該一のチャンネルに対応する最適受信方向として決定する決定手段と、
前記決定手段により最適受信方向として決定された受信方向と、当該受信方向が最適受信方向として決定された決定回数と、を対応付けて記憶する記憶手段と、
を備え、
前記切替手段は、前記判定手段により当該アンテナシステムによって一のチャンネルに対応するテレビジョン放送信号が受信されたと判定されるまで、前記記憶手段に記憶された決定回数が多い受信方向から順に、前記アンテナの指向性を切り替えることを特徴とするアンテナシステム。
【発明の詳細な説明】
【技術分野】
【０００１】
本発明は、アンテナシステム及びテレビジョン受像機に関する。
【背景技術】
【０００２】
従来、テレビジョン放送信号（以下、「ＴＶ放送信号」という。）の受信に際して指向性を切り替えることができるアンテナ（通称、「スマートアンテナ」という。）が知られている。
具体的には、このようなアンテナは、例えば、アンテナシステム（受信機）によりEIA/CEA-909などの所定の規格に基づいて制御されることによって、指向性が切り替えられるようになっている。
そして、このようなアンテナを有するアンテナシステムは、例えば、初期設定時に、アンテナの最適受信方向をチャンネル毎に決定し、通常動作時に、ユーザにより所望のチャンネルが指定されると、初期設定時に決定した当該所望のチャンネルに対応する最適受信方向にアンテナの指向性を切り替えて設定し、当該所望のチャンネルに対応するＴＶ放送信号を受信するようになっている。
【０００３】
上述のようなアンテナシステムにおいては、さらに、例えば、ＴＶ放送信号を高品質に受信するために、通常動作時に、アンテナにより受信されたＴＶ放送信号の受信信号品質が閾値以上になる好適な指向性を抽出し、アンテナの指向性を当該抽出した好適な指向性に切り替えるもの（例えば、特許文献１参照。）などが提案されている。
また、例えば、指向性の切り替えが可能でないアンテナを複数有するアンテナシステムにおいても、ＴＶ放送信号を高品質に受信するために、通常動作時に、一のアンテナにより受信されたＴＶ放送信号の受信信号品質が閾値よりも小さいときは、受信信号品質が閾値以上となる好適な他のアンテナに切り替えるもの（例えば、特許文献２参照。）なども提案されている。
【特許文献１】特開２００５−２１７８４８号公報
【特許文献２】特開２００５−２１７８４９号公報
【発明の開示】
【発明が解決しようとする課題】
【０００４】
ところで、アンテナシステムは、初期設定時に、アンテナの指向性を順々に切り替えて最適受信方向を決定する。したがって、アンテナの指向性の方向が多数ある場合、アンテナシステムは、チャンネル毎に、当該多数の方向の中から最適受信方向を決定しなければならず、初期設定に時間がかかってしまうという問題がある。
アンテナに多数の指向性の方向があるのは、ＴＶ放送信号を送信する送信塔が点在して設置されている場合を想定したためであるが、送信塔は、数箇所に固まって設置されているのが通常である。したがって、アンテナの最適受信方向も数箇所に片寄っているのが通常である。しかしながら、従来のアンテナシステムでは、アンテナの指向性の切り替え順に優先順位を設けるなどの工夫がなされていなかったので、最適受信方向を決定するまでの動作が効率の悪いものとなっていた。
【０００５】
本発明の課題は、アンテナの最適受信方向を効率よく決定することができるアンテナシステム及び当該アンテナシステムを備えるテレビジョン受像機を提供することにある。
【課題を解決するための手段】
【０００６】
上記課題を解決するために、請求項１に記載の発明は、テレビジョン放送信号の受信に際して指向性の切り替えが可能なアンテナと、前記アンテナの最適受信方向をチャンネル毎に初期設定する初期設定手段と、を有し、所望のチャンネルが指定されると、前記初期設定手段により初期設定された当該所望のチャンネルに対応する最適受信方向に前記アンテナの指向性を切り替えて設定し、当該所望のチャンネルに対応するテレビジョン放送信号を受信するアンテナシステムを備えるテレビジョン受像機において、前記初期設定手段は、一のチャンネルにおける前記アンテナの最適受信方向を初期設定する際に、前記アンテナの指向性を順次に切り替える切替手段と、前記切替手段により前記アンテナの指向性が切り替えられる度に、当該アンテナシステムによって前記一のチャンネルに対応するテレビジョン放送信号が受信されたか否かを判定する判定手段と、前記判定手段により当該アンテナシステムによって前記一のチャンネルに対応するテレビジョン放送信号が受信されたと判定された際の前記アンテナの指向性の方向を、当該一のチャンネルに対応する最適受信方向として決定する決定手段と、前記決定手段により最適受信方向として決定された受信方向と、当該受信方向が最適受信方向として決定された決定回数と、を対応付けて記憶する記憶手段と、を備え、前記切替手段は、前記判定手段により当該アンテナシステムによって一のチャンネルに対応するテレビジョン放送信号が受信されたと判定されるまで、前記記憶手段に記憶された決定回数が多い受信方向から順に、前記アンテナの指向性を切り替えるとともに、前記記憶手段に記憶された受信方向の中に決定回数が同一の受信方向が複数ある場合には、当該決定回数が同一の複数の受信方向のうち、前記アンテナの現在の指向性の方向に最も近い受信方向に、前記アンテナの指向性を切り替えることを特徴とする。
【０００７】
請求項２に記載の発明は、テレビジョン放送信号の受信に際して指向性の切り替えが可能なアンテナと、前記アンテナの最適受信方向をチャンネル毎に初期設定する初期設定手段と、を有し、所望のチャンネルが指定されると、前記初期設定手段により初期設定された当該所望のチャンネルに対応する最適受信方向に前記アンテナの指向性を切り替えて設定し、当該所望のチャンネルに対応するテレビジョン放送信号を受信するアンテナシステムにおいて、前記初期設定手段は、一のチャンネルにおける前記アンテナの最適受信方向を初期設定する際に、前記アンテナの指向性を順次に切り替える切替手段と、前記切替手段により前記アンテナの指向性が切り替えられる度に、当該アンテナシステムによって前記一のチャンネルに対応するテレビジョン放送信号が受信されたか否かを判定する判定手段と、前記判定手段により当該アンテナシステムによって前記一のチャンネルに対応するテレビジョン放送信号が受信されたと判定された際の前記アンテナの指向性の方向を、当該一のチャンネルに対応する最適受信方向として決定する決定手段と、前記決定手段により最適受信方向として決定された受信方向と、当該受信方向が最適受信方向として決定された決定回数と、を対応付けて記憶する記憶手段と、を備え、前記切替手段は、前記判定手段により当該アンテナシステムによって一のチャンネルに対応するテレビジョン放送信号が受信されたと判定されるまで、前記記憶手段に記憶された決定回数が多い受信方向から順に、前記アンテナの指向性を切り替えることを特徴とする。
【発明の効果】
【０００８】
請求項１に記載の発明によれば、初期設定手段が備える切替手段によって、一のチャンネルにおけるアンテナの最適受信方向を初期設定する際に、アンテナの指向性を順次に切り替えることができ、初期設定手段が備える判定手段によって、切替手段によりアンテナの指向性が切り替えられる度に、アンテナシステムによって一のチャンネルに対応するテレビジョン放送信号が受信されたか否かを判定することができ、初期設定手段が備える決定手段によって、判定手段によりアンテナシステムによって一のチャンネルに対応するテレビジョン放送信号が受信されたと判定された際のアンテナの指向性の方向を、当該一のチャンネルに対応する最適受信方向として決定することができ、初期設定手段が備える記憶手段によって、決定手段により最適受信方向として決定された受信方向と、当該受信方向が最適受信方向として決定された決定回数と、を対応付けて記憶することができる。そして、切替手段は、判定手段によりアンテナシステムによって一のチャンネルに対応するテレビジョン放送信号が受信されたと判定されるまで、記憶手段に記憶された決定回数が多い受信方向から順に、アンテナの指向性を切り替えるとともに、記憶手段に記憶された受信方向の中に決定回数が同一の受信方向が複数ある場合には、当該決定回数が同一の複数の受信方向のうち、アンテナの現在の指向性の方向に最も近い受信方向に、アンテナの指向性を切り替えることができる。
すなわち、初期設定中に、一のチャンネルにおけるアンテナの最適受信方向を決定する際、当該初期設定におけるこれまでの間に最適受信方向として決定された決定回数が多い受信方向から順に、アンテナの指向性を切り替えることができる。したがって、特に、アンテナの最適受信方向が数箇所に片寄っている場合には、無駄にアンテナの指向性を切り替える必要がなくなって、アンテナの最適受信方向を効率よく決定することができる。
また、決定回数が同一の受信方向が複数ある場合には、その複数の受信方向のうち、アンテナの現在の指向性の方向に最も近い受信方向に、アンテナの指向性を切り替えるため、これより遠い受信方向に切り替える場合と比較して、アンテナの受信特性が安定するまでにかかる時間が短くなって、アンテナの最適受信方向をより効率よく決定することができる。
【０００９】
請求項２に記載の発明によれば、初期設定手段が備える切替手段によって、一のチャンネルにおけるアンテナの最適受信方向を初期設定する際に、アンテナの指向性を順次に切り替えることができ、初期設定手段が備える判定手段によって、切替手段によりアンテナの指向性が切り替えられる度に、アンテナシステムによって一のチャンネルに対応するテレビジョン放送信号が受信されたか否かを判定することができ、初期設定手段が備える決定手段によって、判定手段によりアンテナシステムによって一のチャンネルに対応するテレビジョン放送信号が受信されたと判定された際のアンテナの指向性の方向を、当該一のチャンネルに対応する最適受信方向として決定することができ、初期設定手段が備える記憶手段によって、決定手段により最適受信方向として決定された受信方向と、当該受信方向が最適受信方向として決定された決定回数と、を対応付けて記憶することができる。そして、切替手段は、判定手段によりアンテナシステムによって一のチャンネルに対応するテレビジョン放送信号が受信されたと判定されるまで、記憶手段に記憶された決定回数が多い受信方向から順に、アンテナの指向性を切り替えることができる。
すなわち、初期設定中に、一のチャンネルにおけるアンテナの最適受信方向を決定する際、当該初期設定におけるこれまでの間に最適受信方向として決定された決定回数が多い受信方向から順に、アンテナの指向性を切り替えることができる。したがって、特に、アンテナの最適受信方向が数箇所に片寄っている場合には、無駄にアンテナの指向性を切り替える必要がなくなって、アンテナの最適受信方向を効率よく決定することができる。
【発明を実施するための最良の形態】
【００１０】
以下、図を参照して、本発明にかかるテレビジョン受像機の最良の形態を詳細に説明する。なお、発明の範囲は、図示例に限定されない。
【００１１】
＜テレビジョン受像機の構成＞
まず、テレビジョン受像機１の構成について、図１を参照して説明する。
テレビジョン受像機１は、例えば、アンテナシステムＳを備えるとともに、出力装置３を接続している。
具体的には、テレビジョン受像機１は、例えば、モジュラー端子１３と、チューナ１４と、フロントエンド１５と、デコーダ１６と、ＯＳＤ回路１７と、リモコン受信部１８と、記憶部１９と、制御部２０と、などを備えて構成される。各部は、バス１０によって接続されている。
また、テレビジョン受像機１は、例えば、モジュラー端子１３やチューナ１４に接続された、アンテナ１１を有するアンテナコントローラ１２を備えている。
また、テレビジョン受像機１は、例えば、リモコン受信部１８と通信可能なテレビジョン受像機１用のリモートコントローラＲ（以下、「リモコンＲ」という。）を備えている。
また、テレビジョン受像機１は、例えば、デコーダ１６によって、音声出力部３１や画像表示部３２を有する出力装置３を接続している。
ここで、アンテナシステムＳは、例えば、アンテナ１１と、アンテナコントローラ１２と、モジュラー端子１３と、チューナ１４と、制御部２０と、などにより構成される。
【００１２】
アンテナ１１は、例えば、放送局の送信塔等によって圧縮等されて送出されるデジタル方式のテレビジョン放送信号（以下、「ＴＶ放送信号」という。）を受信する。アンテナ１１は、例えば、ＴＶ放送信号の受信に際して指向性の切り替えが可能となっている。
具体的には、アンテナ１１は、例えば、複数の指向性の方向を有し、アンテナコントローラ１２により、当該複数の方向のうちの一方向に指向性が切り替えられて設定されると、当該一方向からのＴＶ放送信号に、他方向からのＴＶ放送信号よりも大きな感度を示すようになっている。
ここで、アンテナ１１の指向性の方向は、例えば、図２に示すように、１６方向（ａ方向〜ｐ方向）である。
【００１３】
アンテナコントローラ１２は、例えば、モジュラー端子１３から出力された指向性切替信号（後述）に従って、アンテナ１１の指向性を切り替えて設定する。
また、アンテナコントローラ１２は、例えば、アンテナ１１により受信されたＴＶ放送信号を、チューナ１４に出力する。
【００１４】
モジュラー端子１３は、例えば、制御部２０から入力される制御信号に従って、アンテナ１１の指向性を切り替えるための指向性切替信号を、アンテナコントローラ１２に出力する。
【００１５】
チューナ１４は、例えば、制御部２０から入力される制御信号に従って、アンテナ１１により受信されてアンテナコントローラ１２から出力されたＴＶ放送信号の中から、一のチャンネルに対応する周波数帯域に存在するＴＶ放送信号を受信して、フロントエンド１５に出力する。
具体的には、チューナ１４は、例えば、アンテナ１１により受信されたＴＶ放送信号を、制御部２０により設定された周波数帯域（一のチャンネルに対応する周波数帯域）に同調させることによって、当該一のチャンネルに対応するＴＶ放送信号を受信する。
ここで、アンテナシステムＳにより受信可能なチャンネルは、例えば、２〜６９ｃｈである。
【００１６】
フロントエンド１５は、例えば、制御部２０から入力される制御信号に従って、チューナ１４から出力されたＴＶ放送信号を中間周波信号に変換して、デコーダ１６に出力する。
【００１７】
デコーダ１６は、例えば、制御部２０から入力される制御信号に従って、フロントエンド１５から出力されたＴＶ放送信号に対して所定のファイル形式（例えば、ＭＰＥＧ−２（Moving Picture Experts Group phase 2）形式など）に応じた処理を施すことによって、当該ＴＶ放送信号をデコードする。そして、当該デコードしたＴＶ放送信号を、音声信号と画像信号とに分離して、音声信号を出力装置３の音声出力部３１に出力するとともに、画像信号を出力装置３の画像表示部３２に出力する。
【００１８】
出力装置３が有する音声出力部３１は、例えば、スピーカ機器などであり、デコーダ１６から出力された音声信号に基づく音声データに応じた音声を出力する。
出力装置３が有する画像表示部３２は、例えば、液晶表示機器などであり、デコーダ１６から出力された画像信号に基づく画像データに応じた画像や、デコーダ１６から出力され、ＯＳＤ回路１７によりＯＳＤ表示信号（後述）が合成された画像信号に基づく画像データに応じた画像を表示する。
【００１９】
ＯＳＤ回路１７は、例えば、制御部２０から入力される制御信号に従って、出力装置３の画像表示部３２に所定のオンスクリーンディスプレイ（以下、「ＯＳＤ」という。）表示をさせるためのＯＳＤ表示信号を、デコーダ１６から出力装置３の画像表示部３２に出力された画像信号に合成する。
【００２０】
リモコン受信部１８は、例えば、リモコンＲから送信された各種信号を受信し、当該各種信号に基づく各種データを、制御部２０に出力する。
リモコンＲは、例えば、ユーザにより操作され、当該操作に応じた信号をリモコン受信部１８に送信する。
【００２１】
記憶部１９は、例えば、磁気的記憶媒体、光学的記憶媒体、若しくは半導体メモリで構成される。
具体的には、記憶部１９には、例えば、図１に示すように、初期設定データテーブル１９１と、決定回数データテーブル１９２と、などが記憶されている。
【００２２】
初期設定データテーブル１９１は、例えば、アンテナシステムＳにより受信可能なチャンネルと、決定プログラム２０３３を実行したＣＰＵ２０１（後述）により決定された最適受信方向と、を対応付けて記憶する。
具体的には、初期設定データテーブル１９１は、例えば、図３に示すように、アンテナシステムＳにより受信可能なチャンネルを記憶する「チャンネル」記憶領域１９１ａと、決定プログラム２０３３を実行したＣＰＵ２０１（後述）により決定された最適受信方向を記憶する「最適受信方向」記憶領域１９１ｂと、などを有している。
【００２３】
決定回数データテーブル１９２は、例えば、初期設定手段及び記憶手段として、決定プログラム２０３３を実行したＣＰＵ２０１（後述）により最適受信方向として決定された受信方向と、当該受信方向が最適受信方向として決定された決定回数と、を対応付けて記憶する。
具体的には、決定回数データテーブル１９２は、例えば、図４に示すように、決定プログラム２０３３を実行したＣＰＵ２０１（後述）により最適受信方向として決定された受信方向を記憶する「受信方向」記憶領域１９２ａと、当該受信方向が最適受信方向として決定された回数である決定回数を記憶する「決定回数」記憶領域１９２ｂと、などを有している。
【００２４】
制御部２０は、例えば、図１に示すように、ＣＰＵ（Central Processing Unit）２０１と、ＲＡＭ（Random Access Memory）２０２と、ＲＯＭ（Read Only Memory）２０３と、などを備えている。
【００２５】
ＣＰＵ２０１は、ＲＯＭ２０３に記憶されたテレビジョン受像機１用の各種処理プログラムに従って、各種の制御動作を行う。
【００２６】
ＲＡＭ２０２は、ＣＰＵ２０１によって実行される処理プログラムなどを展開するためのプログラム格納領域や、入力データや上記処理プログラムが実行される際に生じる処理結果などを格納するデータ格納領域などを備える。
【００２７】
ＲＯＭ２０３は、テレビジョン受像機１で実行可能なシステムプログラム、当該システムプログラムで実行可能な各種処理プログラム、これら各種処理プログラムを実行する際に使用されるデータ、ＣＰＵ２０１によって演算処理された各種結果のデータなどを記憶する。なお、プログラムは、コンピュータが読み取り可能なプログラムコードの形でＲＯＭ２０３に記憶されている。
具体的には、ＲＯＭ２０３には、例えば、切替プログラム２０３１と、判定プログラム２０３２と、決定プログラム２０３３と、通常動作プログラム２０３４と、などを記憶している。
【００２８】
切替プログラム２０３１は、例えば、一のチャンネルにおけるアンテナ１１の最適受信方向をチャンネル毎に初期設定する際に、モジュラー端子１３及びアンテナコントローラ１２を介して、アンテナ１１の指向性を順次に切り替える機能を、ＣＰＵ２０１に実現させる。
具体的には、ＣＰＵ２０１は、例えば、初期設定時（具体的には、初期設定処理のうちのオートスキャン処理時（後述））に、判定プログラム２０３２を実行したＣＰＵ２０１（後述）によりアンテナシステムＳによって一のチャンネルに対応するＴＶ放送信号が受信されたと判定されるまで、決定回数データテーブル１９２に記憶された決定回数が多い受信方向から順に、アンテナ１１の指向性を切り替えるとともに、決定回数データテーブル１９２に記憶された受信方向の中に決定回数が同一の受信方向が複数ある場合には、当該決定回数が同一の複数の受信方向のうち、アンテナ１１の現在の指向性の方向に最も近い受信方向に、アンテナ１１の指向性を切り替える。なお、判定プログラム２０３２を実行したＣＰＵ２０１（後述）によりアンテナシステムＳによって一のチャンネルに対応するＴＶ放送信号が受信されたと判定されるまでの間、ＣＰＵ２０１は、アンテナ１１の指向性を、一度切り替えた方向には二度と切り替えないこととする。
より具体的には、決定回数データテーブル１９２に記憶された受信方向の中に決定回数が同一の受信方向が複数（例えば、「ｂ方向」、「ｇ方向」及び「ｊ方向」の３個）ある場合には、ＣＰＵ２０１は、例えば、当該決定回数が同一の複数の受信方向のうち、アンテナ１１の現在の指向性の方向（例えば、「ａ方向」）に最も近い受信方向（「ｂ方向」）に、アンテナ１１の指向性を切り替える。そして、当該「ｂ方向」において、判定プログラム２０３２を実行したＣＰＵ２０１（後述）によりＴＶ放送信号が受信されないと判定されると、ＣＰＵ２０１は、当該決定回数が同一の複数の受信方向のうちの「ｂ方向」以外の受信方向（「ｇ方向」及び「ｊ方向」）のうち、アンテナ１１の現在の指向性の方向（「ｂ方向」）に最も近い受信方向（「ｇ方向」）に、アンテナ１１の指向性を切り替える。そして、当該「ｇ方向」において、判定プログラム２０３２を実行したＣＰＵ２０１（後述）によりＴＶ放送信号が受信されないと判定されると、ＣＰＵ２０１は、「ｊ方向」に、アンテナ１１の指向性を切り替える。なお、現在の指向性の方向に最も近い受信方向が２個ある場合には、ＣＰＵ２０１は、例えば、予め設定された方向（例えば、時計回り方向）にある受信方向に、アンテナ１１の指向性の方向を切り替えることとする。
ここで、初期設定手段及び切替手段は、切替プログラム２０３１を実行したＣＰＵ２０１と、モジュラー端子１３と、アンテナコントローラ１２と、などにより構成される。
【００２９】
判定プログラム２０３２は、例えば、切替プログラム２０３１を実行したＣＰＵ２０１によりアンテナ１１の指向性が切り替えられる度に、アンテナシステムＳによって一のチャンネルに対応するＴＶ放送信号が受信されたか否かを判定する機能を、ＣＰＵ２０１に実現させる。
ＣＰＵ２０１は、かかる判定プログラム２０３２を実行することによって、初期設定手段及び判定手段として機能する。
【００３０】
決定プログラム２０３３は、例えば、判定プログラム２０３２を実行したＣＰＵ２０１によりアンテナシステムＳによって一のチャンネルに対応するＴＶ放送信号が受信されたと判定された際のアンテナ１１の指向性の方向を、当該一のチャンネルに対応する最適受信方向として決定する機能を、ＣＰＵ２０１に実現させる。
そして、ＣＰＵ２０１は、一のチャンネルに対応する最適受信方向を決定すると、例えば、当該決定した最適受信方向を、当該一のチャンネルに対応させて、初期設定データテーブル１９１に記憶させるとともに、決定回数データテーブル１９２に記憶された決定回数のうちの最適受信方向として決定した受信方向に対応する決定回数に「１」を加えることによって、決定回数データテーブル１９２の決定回数を更新する。なお、切替プログラム２０３１を実行したＣＰＵ２０１により１６方向全てにアンテナ１１の指向性が切り替えられても、判定プログラム２０３２を実行したＣＰＵ２０１によりアンテナシステムＳによって一のチャンネルに対応するＴＶ放送信号が受信されないと判定された場合には、ＣＰＵ２０１は、当該一のチャンネルに対応する最適受信方向を決定することができないため、例えば、当該一のチャンネルに対応する最適受信方向は、デフォルト設定のままとなる。
ＣＰＵ２０１は、かかる決定プログラム２０３３を実行することによって、初期設定手段及び決定手段として機能する。
【００３１】
通常動作プログラム２０３４は、例えば、通常動作時に、ユーザによるリモコンＲの操作等によってユーザ所望のチャンネルが指定されると、切替プログラム２０３１、判定プログラム２０３２及び決定プログラム２０３３を実行したＣＰＵ２０１により初期設定されて、初期設定データテーブル１９１に記憶された当該ユーザ所望のチャンネルに対応する最適受信方向にアンテナ１１の指向性を切り替えて設定し、当該ユーザ所望のチャンネルに対応するＴＶ放送信号を受信する機能を、ＣＰＵ２０１に実現させる。
【００３２】
＜テレビジョン受像機によるオートスキャン処理＞
次に、テレビジョン受像機１によるチャンネルのオートスキャンに関する処理について、図５〜７のフローチャートを参照して説明する。
ここで、当該オートスキャン処理は、例えば、テレビジョン受像機１による初期設定に関する処理（初期設定処理）のうちの１つである。
【００３３】
まず、ＣＰＵ２０１は、決定回数データテーブル１９２の「決定回数」記憶領域１９２ｂの全てに「０」を記憶させて、決定回数を初期化する（ステップＳ１１）。
【００３４】
次いで、ＣＰＵ２０１は、アンテナシステムＳにより受信可能な全てのチャンネルに対して、ループＡの処理を行う（ステップＳ１２〜Ｓ２４）。
【００３５】
具体的には、一のチャンネルにおけるループＡの処理では、まず、ＣＰＵ２０１は、当該一のチャンネルの周波数をチューナ１４に設定し（ステップＳ１３）、「Ｎ」に１を設定する（ステップＳ１４）。
【００３６】
次いで、ＣＰＵ２０１は、切替プログラム２０３１を実行して、決定回数データテーブル１９２に記憶された受信方向のうち、決定回数が「Ｎ」番目に多い受信方向を獲得する（ステップＳ１５）。
【００３７】
次いで、ＣＰＵ２０１は、ステップＳ１５で獲得した受信方向の個数が０（ゼロ）個であるか否か、すなわち、全ての受信方向においてＴＶ放送信号の受信判定が終了したか否かを判断する（ステップＳ１６）。
【００３８】
ステップ１６で、ステップＳ１５で獲得した受信方向の個数が０（ゼロ）個であると判断すると（ステップＳ１６；Ｙｅｓ）、ＣＰＵ２０１は、ステップＳ２４の処理に移行する。
【００３９】
一方、ステップＳ１６で、ステップＳ１５で獲得した受信方向の個数が０（ゼロ）個でないと判断すると（ステップＳ１６；Ｎｏ）、ＣＰＵ２０１は、ステップＳ１５で獲得した受信方向の個数が複数個であるか否かを判断する（ステップＳ１７）。
【００４０】
ステップＳ１７で、ステップＳ１４で獲得した受信方向の個数が複数個でないと判断すると（ステップＳ１７；Ｎｏ）、ＣＰＵ２０１は、ステップＳ１５で獲得した受信方向に、アンテナ１１の指向性を切り替える（ステップＳ１８）。
【００４１】
次いで、ＣＰＵ２０１は、判定プログラム２０３２を実行して、アンテナシステムＳ（チューナ１１）によって当該一のチャンネルに対応するＴＶ放送信号が受信されたか否かを判定する（ステップＳ１９）。
【００４２】
ステップＳ１９で、アンテナシステムＳ（チューナ１１）によって当該一のチャンネルに対応するＴＶ放送信号が受信されないと判定すると（ステップＳ１９；Ｎｏ）、ＣＰＵ２０１は、「Ｎ」に「Ｎ＋１」を設定し（ステップＳ２０）、ステップＳ１５以降の処理を繰り返して行う。
【００４３】
一方、ステップＳ１９で、アンテナシステムＳ（チューナ１１）によって当該一のチャンネルに対応するＴＶ放送信号が受信されたと判定すると（ステップＳ１９；Ｙｅｓ）、ＣＰＵ２０１は、決定プログラム２０３３を実行して、アンテナ１１の現在の指向性の方向を、当該一のチャンネルに対応する最適受信方向として決定する（ステップＳ２１）。
【００４４】
次いで、ＣＰＵ２０１は、ステップＳ２１で決定した最適受信方向を、当該一のチャンネルに対応させて、初期設定データテーブル１９１に記憶させる（ステップＳ２２）。
【００４５】
次いで、ＣＰＵ２０１は、決定回数データテーブル１９２に記憶された決定回数のうちのステップＳ２１で最適受信方向として決定した受信方向に対応する決定回数に「１」を加えることによって、決定回数データテーブル１９２の決定回数を更新し（ステップＳ２３）、当該一のチャンネルにおけるループＡの処理を終了する（ステップＳ２４）。
【００４６】
また、ステップＳ１７で、ステップＳ１５で獲得した受信方向の個数が複数個であると判断すると（ステップＳ１７；Ｙｅｓ）、ＣＰＵ２０１は、ステップＳ１５で獲得した複数の受信方向のうち、アンテナ１１の現在の指向性の方向に最も近い受信方向を取得する（ステップＳ２５）。
ここで、ＣＰＵ２０１は、当該一のチャンネルにおけるループＡの処理において、これまでにステップＳ２５の処理を複数回行っている場合は、ステップＳ１５で獲得した複数の受信方向のうち、当該行ったステップＳ２５で取得した受信方向以外の受信方向の中から、アンテナ１１の現在の指向性の方向に最も近い受信方向を取得する。
【００４７】
次いで、ＣＰＵ２０１は、ステップＳ２５で取得した受信方向に、アンテナ１１の指向性を切り替える（ステップＳ２６）。
【００４８】
次いで、ＣＰＵ２０１は、判定プログラム２０３２を実行して、アンテナシステムＳ（チューナ１１）によって当該一のチャンネルに対応するＴＶ放送信号が受信されたか否かを判定する（ステップＳ２７）。
【００４９】
ステップＳ２７で、アンテナシステムＳ（チューナ１１）によって当該一のチャンネルに対応するＴＶ放送信号が受信されたと判定すると（ステップＳ２７；Ｙｅｓ）、ＣＰＵ２０１は、ステップＳ２１（図６）の処理に移行する。
【００５０】
一方、ステップＳ２７で、アンテナシステムＳ（チューナ１１）によって当該一のチャンネルに対応するＴＶ放送信号が受信されないと判定すると（ステップＳ２７；Ｎｏ）、ＣＰＵ２０１は、ステップＳ１５で獲得した複数の受信方向の全てに、アンテナ１１の指向性を切り替えたか否かを判断する（ステップＳ２８）。
【００５１】
ステップＳ２８で、ステップＳ１５で獲得した複数の受信方向の全てに、アンテナ１１の指向性を切り替えていないと判断すると（ステップＳ２８；Ｎｏ）、ＣＰＵ２０１は、ステップＳ２５以降の処理を繰り返して行う。
【００５２】
一方、ステップＳ２８で、ステップＳ１５で獲得した複数の受信方向の全てに、アンテナの指向性を切り替えたと判断すると（ステップＳ２８；Ｎｏ）、ＣＰＵ２０１は、ステップＳ２０（図１）の処理に移行する。
【００５３】
そして、アンテナシステムＳにより受信可能な全てのチャンネルに対するループＡの処理が終了すると（ステップＳ２４）、ＣＰＵ２０１は、本処理を終了する。
そして、当該オートスキャン処理を含むテレビジョン受像機１による初期設定に関する処理が終了すると、ＣＰＵ２０１は、例えば、通常動作プログラム２０３４を実行することができるようになる。
【００５４】
以上説明した本発明のテレビジョン受像機１によれば、ＴＶ放送信号の受信に際して指向性の切り替えが可能なアンテナ１１と、アンテナ１１の最適受信方向をチャンネル毎に初期設定する切替プログラム２０３１、判定プログラム２０３２及び決定プログラム２０３３を実行したＣＰＵ２０１と、を有し、ユーザによるリモコンＲの操作等によってユーザ所望のチャンネルが指定されると、当該初期設定されて初期設定データテーブル１９１に記憶された当該ユーザ所望のチャンネルに対応する最適受信方向にアンテナ１１の指向性を切り替えて設定し、当該ユーザ所望のチャンネルに対応するＴＶ放送信号を受信するアンテナシステムＳを備え、切替プログラム２０３１を実行したＣＰＵ２０１によって、一のチャンネルにおけるアンテナ１１の最適受信方向を初期設定する際に、モジュラー端子１３及びアンテナコントローラ１２を介して、アンテナ１１の指向性を順次に切り替えることができ、判定プログラム２０３２を実行したＣＰＵ２０１によって、切替プログラム２０３１を実行したＣＰＵ２０１によりアンテナ１１の指向性が切り替えられる度に、アンテナシステムＳによって当該一のチャンネルに対応するＴＶ放送信号が受信されたか否かを判定することができ、決定プログラム２０３３を実行したＣＰＵ２０１によって、判定プログラム２０３２を実行したＣＰＵ２０１によりアンテナシステムＳによって当該一のチャンネルに対応するＴＶ放送信号が受信されたと判定された際のアンテナ１１の指向性の方向を、当該一のチャンネルに対応する最適受信方向として決定することができ、決定回数データテーブル１９２によって、決定プログラム２０３３を実行したＣＰＵ２０１によりの最適受信方向として決定された受信方向と、当該受信方向が最適受信方向として決定された決定回数と、を対応付けて記憶することができる。そして、切替プログラム２０３１を実行したＣＰＵ２０１は、判定プログラム２０３２を実行したＣＰＵ２０１によりアンテナシステムＳによって一のチャンネルに対応するＴＶ放送信号が受信されたと判定されるまで、決定回数データテーブル１９２に記憶された決定回数が多い受信方向から順に、アンテナ１１の指向性を切り替えるとともに、決定回数データテーブル１９２に記憶された受信方向の中に決定回数が同一の受信方向が複数ある場合には、当該決定回数が同一の複数の受信方向のうち、アンテナ１１の現在の指向性の方向に最も近い受信方向に、アンテナ１１の指向性を切り替えることができる。
すなわち、初期設定中に、一のチャンネルにおけるアンテナ１１の最適受信方向を決定する際、当該初期設定におけるこれまでの間に最適受信方向として決定された決定回数が多い受信方向から順に、アンテナ１１の指向性を切り替えることができる。したがって、特に、アンテナ１１の最適受信方向が数箇所に片寄っている場合には、無駄にアンテナ１１の指向性を切り替える必要がなくなって、アンテナ１１の最適受信方向を効率よく決定することができる。
また、決定回数が同一の受信方向が複数ある場合には、その複数の受信方向のうち、アンテナ１１の現在の指向性の方向に最も近い受信方向に、アンテナ１１の指向性を切り替えるため、これより遠い受信方向に切り替える場合と比較して、アンテナ１１の受信特性が安定するまでにかかる時間が短くなって、アンテナ１１の最適受信方向をより効率よく決定することができる。
【００５５】
なお、本発明は、上記した実施の形態のものに限るものではなく、その要旨を逸脱しない範囲で適宜変更可能である。
例えば、切替プログラム２０３１を実行したＣＰＵ２０１によるアンテナ１１の指向性の切り替え順は、実施の形態の限りでなく、例えば、判定プログラム２０３２を実行したＣＰＵ２０１によりアンテナシステムＳによって一のチャンネルに対応するＴＶ放送信号が受信されたと判定されるまで、アンテナ１１の現在の指向性の方向から所定範囲内にある受信方向のうちの決定回数データテーブル１９２に記憶された決定回数が一番多い受信方向に、アンテナ１１の指向性を切り替えるとともに、決定回数データテーブル１９２に記憶された受信方向の中に決定回数が一番多い受信方向が複数ある場合には、アンテナ１１の現在の指向性の方向に最も近い受信方向に、アンテナ１１の指向性を切り替えるようにしてもよい。無論、この場合も、判定プログラム２０３２を実行したＣＰＵ２０１によりアンテナシステムＳによって一のチャンネルに対応するＴＶ放送信号が受信されたと判定されるまでの間は、切替プログラム２０３１を実行したＣＰＵ２０１は、一度切り替えた方向には、アンテナ１１の指向性を切り替えないこととし、現在の指向性の方向に最も近い受信方向が２個ある場合には、ＣＰＵ２０１は、例えば、予め設定された方向（例えば、時計回り方向）にある受信方向に、アンテナ１１の指向性の方向を切り替えることとする。
【００５６】
アンテナ１１によりデジタル方式のＴＶ放送信号を受信するようにしたが、例えば、アンテナ１１により、アナログ方式のＴＶ放送信号を受信するようにしてもよいし、アナログ方式及びデジタル方式のＴＶ放送信号を受信するようにしてもよい。
【図面の簡単な説明】
【００５７】
【図１】本発明にかかるテレビジョン受像機の機能的構成を示すブロック図である。
【図２】図１に示したアンテナの指向性の方向を示す図である。
【図３】図１に示した初期設定データテーブルのデータ構造を示す図である。
【図４】図１に示した決定回数データテーブルのデータ構造を示す図である。
【図５】本発明にかかるテレビジョン受像機によるチャンネルのオートスキャンに関する第１の処理を説明するためのフローチャートである。
【図６】本発明にかかるテレビジョン受像機によるチャンネルのオートスキャンに関する第２の処理を説明するためのフローチャートである。
【図７】本発明にかかるテレビジョン受像機によるチャンネルのオートスキャンに関する第３の処理を説明するためのフローチャートである。
【符号の説明】
【００５８】
１  テレビジョン受像機
１１  アンテナ（アンテナシステム）
１２  アンテナコントローラ（アンテナシステム、初期設定手段、切替手段）
１３  モジュラー端子（アンテナシステム、初期設定手段、切替手段）
１４  チューナ（アンテナシステム）
２０  制御部（アンテナシステム）
１９２  決定回数データテーブル（初期設定手段、記憶手段）
２０１  ＣＰＵ（初期設定手段、切替手段、判定手段、決定手段）
２０３１  切替プログラム（初期設定手段、切替手段）
２０３２  判定プログラム（初期設定手段、判定手段）
２０３３  決定プログラム（初期設定手段、決定手段）
Ｓ  アンテナシステム
【図１】
0004591344.tif 000002
【図２】
0004591344.tif 000003
【図３】
0004591344.tif 000004
【図４】
0004591344.tif 000005
【図５】
0004591344.tif 000006
【図６】
0004591344.tif 000007
【図７】
0004591344.tif 000008